(57)【要約】【課題】印刷データの特徴を解析し、適切な頁の順序を判別することによって、頁の順序を指定するユーザーの手間を省くことができるプリンタシステムを提供する。【解決手段】アプリケーション１０からの複数頁の印刷データを１枚の用紙にまとめて印刷出力する集約印刷機能を有するプリンタシステム２０において、印刷文字が縦書きか横書きかを判断する文字列構成情報解析部２２を備え、文字列構成情報解析部２２により検出した文字列構成情報を設定する。【選択図】      図１
2004272599.tif 000002
【特許請求の範囲】
【請求項１】
アプリケーションからの複数頁の印刷データを１枚の用紙にまとめて印刷出力する集約印刷機能を有するプリンタシステムにおいて、印刷文字が縦書きか横書きかを判断する文字列構成情報解析部を備え、文字列構成情報解析部により検出した文字列構成情報に基づき集約順序を決定したことを特徴とするプリンタシステム。
【請求項２】
請求項１記載のプリンタシステムにおいて、印刷文字列の向きが左から右か否か、右から左かを判断する印字方向情報解析部を備え、印字方向情報解析部により検出した印字方向情報に基づき集約順序を決定したことを特徴とするプリンタシステム。
【請求項３】
請求項１、２記載のプリンタシステムにおいて、設定された文字列構成情報、設定された印字方向情報をもとに、集約印刷での適切な頁構成を解析する頁構成情報解析部を備え、頁構成情報解析部により検出した頁構成情報に基づき集約順序を決定したことを特徴とするプリンタシステム。
【請求項４】
請求項３記載のプリンタシステムにおいて、設定された頁構成情報に従った頁の順序に並べ替える集約データ作成部を備えたことを特徴とするプリンタシステム。
【発明の詳細な説明】
【０００１】
【発明の属する技術分野】
本発明は、パソコンのアプリケーション等で作成した印刷データをプリンタに印刷させるプリンタシステムに関するものである。
【０００２】
【従来の技術】
複数ページの文書を１枚の用紙に集約して印刷を行う場合、通常、印刷設定の一部として集約方法をユーザーが指定し、この指定された集約方法に従って集約印刷を実現している。集約指定方法としては、一般的には、例えば、集約数と頁の順序を用いる。
図２は集約指定方法の一例を示す図で、集約数が２の時は、集約順序は、図２（Ａ）、図２（Ｂ）に示すように、左から右（図２（Ａ））、あるいは、右から左（図２（Ｂ））であり、１枚の用紙に２ページ分のデータを貼りつける。
このように、従来の集約印刷指定方法は、まず、集約数を選択し、次に、選択した集約数の時、選択できる集約パターンから頁の順序を指定して、集約数と頁の順序の組み合わせで集約情報を指定するというものであり、この集約情報を用いて集約印刷を行っている。
【０００３】
【発明が解決しようとする課題】
前述のとおり従来の集約印刷方法では、集約数、及び、頁の順序をユーザーが指定する。そのため、ユーザーは集約数を指定した後、印刷するデータの特徴、例えば、文章の並びが縦書きなのか、横書きなのかを把握し、印刷結果を想像した上で頁の順序を指定しなければならない。そのため不慣れなユーザーが頁の順序を間違えて印刷してしまうという問題があった。
本発明は、印刷データの特徴を解析し、適切な頁の順序を判別することによって、頁の順序を指定するユーザーの手間を省くことができるプリンタシステムを提供することを目的とする。
【０００４】
【課題を解決するための手段】
上記目的を達成するために、請求項１記載の発明は、アプリケーションからの複数頁の印刷データを１枚の用紙にまとめて印刷出力する集約印刷機能を有するプリンタシステムにおいて、印刷文字が縦書きか横書きかを判断する文字列構成情報解析部を備え、文字列構成情報解析部により検出した文字列構成情報に基づき集約順序を決定したプリンタシステムを最も主要な特徴とする。
これにより、印刷文字が縦書きか横書きかを文字列構成情報解析部により判断し、集約する印刷データの対象が縦書き或いは横書きかに応じて最適な順序で集約印刷でき、集約順序を指定する手間の削減や無駄な印刷の削減を達成することができる。
請求項２記載の発明は、請求項１記載のプリンタシステムにおいて、印刷文字列の向きが左から右か否か、右から左かを判断する印字方向情報解析部を備え、印字方向情報解析部により検出した印字方向情報に基づき集約順序を決定したプリンタシステムを主要な特徴とする。
これにより印刷文字の向きが左右いずれであるかを印字方向情報情報解析部により判断し、集約する印刷データの対象が右から左、或いは左から右に応じて最適な順序で集約印刷でき、集約順序を指定する手間の削減や無駄な印刷の削減を達成することができる。
請求項３記載の発明は、請求項１、２記載のプリンタシステムにおいて、設定された文字列構成情報、設定された印字方向情報をもとに、集約印刷での適切な頁構成を解析する頁構成情報解析部を備え、頁構成情報解析部により検出した頁構成情報に基づき集約順序を決定したプリンタシステムを主要な特徴とする。
これにより文字列構成情報及び印字方向情報に基づき頁構成情報解析部で最適な頁構成を設定することができるので、集約順序を指定する手間の削減や無駄な印刷の削減を達成することができる。
請求項４記載の発明は、請求項３記載のプリンタシステムにおいて、設定された頁構成情報に従った頁の順序に並べ替える集約データ作成部を備えたプリンタシステムを主要な特徴とする。
これにより集約順序を指定する手間の削減や無駄な印刷の削減を達成することができる。
【０００５】
【発明の実施の形態】
以下、図面により本発明の実施の形態を詳細に説明する。図１は本発明によるプリンタシステムの一実施形態を示すブロック図である。本プリンタシステム２０は、集約情報、印刷データ等を作成するアプリケーション１０からの集約情報、印刷データ等を解析してプリンタ３０に印刷等の命令をするものである。
このプリンタシステム２０は、データ受信部２１、文字列構成情報解析部２２、印字方向情報解析部２３、頁構成情報解析部２４、集約データ作成部２５、データ送信部２６、設定情報保持部２７からなる。なお、印刷データは、集約される前の複数ページ分のデータのことで、集約データは、印刷データを集約して作成されたデータのことである。
【０００６】
次にその動作を説明する。まず、データ受信部２１において、印刷データと、用紙サイズや集約数等の印刷条件とに分けて、印刷条件を設定情報保持部２７に保存する。印刷データには文字列データの他に、罫線データ、画像データ等が含まれており、それぞれのデータには印刷位置や印刷方法等の付随情報が含まれる。
印刷条件を設定情報保持部２７に保存した後、文字列構成情報解析部２２において、印刷データから文字列データを検索し、付随する配置データを抽出し、文字列が縦書きに印刷されるのか横書きに印刷されるかを配置データより判断し、その情報を設定情報保持部２７に保存する。
また、印字方向情報解析部２３において、文字列の向きが左から右に印刷されるのか、右から左に印刷されるのかを構成データより判断し、その情報を設定情報保持部２７に保存する。
その後、頁構成情報解析部２４において、設定情報保持部２７から、集約情報、文字列構成情報、印字方向情報を取得し、適切な頁構成情報を解析し、設定情報保持部２７に保存する。
例えば、集約数が２、文字列構成情報が縦書きであった場合、縦書きの文章は右から左へ印字されるため、集約順序は、右から左（図２（Ｂ））が適切な順序となる。また、文字列構成情報が横書き、印字方向情報が左から右である場合、集約順序は、左から右（図２（Ａ））が適切な順序となる。
【０００７】
このように頁構成情報解析部２４において適切な頁構成情報を解析した後、集約データ作成部２５において、設定情報保持部２７から、データ受信部２１において保存した印刷条件と、頁構成情報解析部２４において保存した頁構成情報を取得し、集約データを作成する。
そして作成した集約データをデータ送信部２６からプリンタ３０に送信し、プリンタ３０において、紙に印刷出力する。
このように、集約印刷が指定された印刷において、ユーザーは集約数のみを指定するだけで、適切な集約順序で印刷されることになり、印刷するデータごとに集約順序を指定する手間の削減や無駄な印刷の削減といった効果を得ることができる。
【０００８】
【発明の効果】
以上説明したように、本発明にかかるプリンタシステムの請求項１記載の発明によれば、集約印刷機能の備えたプリンタシステムにおいて、印刷文字が縦書きか横書きかを文字列構成情報解析部により判断し、集約する印刷データの対象が縦書き或いは横書きかに応じて最適な順序で集約印刷でき、集約順序を指定する手間の削減や無駄な印刷の削減を達成することができる。
本発明にかかるプリンタシステムの請求項２記載の発明によれば、請求項１記載の発明に加え、集約印刷機能の備えたプリンタシステムにおいて、印刷文字の向きが左右いずれであるかを印字方向情報情報解析部により判断し、集約する印刷データの対象が右から左、或いは左から右に応じて最適な順序で集約印刷でき、集約順序を指定する手間の削減や無駄な印刷の削減を達成することができる。本発明にかかるプリンタシステムの請求項３記載の発明によれば、請求項１または２記載の発明に加え、集約印刷機能の備えたプリンタシステムにおいて、文字列構成情報及び印字方向情報に基づき頁構成情報解析部で最適な頁構成を設定することができるので、集約順序を指定する手間の削減や無駄な印刷の削減を達成することができる。
本発明にかかるプリンタシステムの請求項４記載の発明によれば、請求項３記載の発明に加え、集約印刷機能の備えたプリンタシステムにおいて、設定された頁構成に応じて頁の順序を並べ替える集約データ生成部を備えているので、集約順序を指定する手間の削減や無駄な印刷の削減を達成することができる。
【図面の簡単な説明】
【図１】本発明によるプリンタシステムの一実施形態を示すブロック図である。
【図２】集約指定方法の一例を示す図である。
【符号の説明】
１０  アプリケーション
２０  プリンタシステム
２１  データ受信部
２２  文字列構成情報解析部
２３  印字方向情報解析部
２４  頁構成情報解析部
２５  集約データ作成部
２６  データ送信部
２７  設定情報保持部
３０  プリンタ
【図１】
2004272599.tif 000003
【図２】
2004272599.tif 000004